(57)【要約】      （修正有）【課題】使用用途に応じて適切な音響特性を満たすスピーカ装置を提供する。【解決手段】スピーカ装置は、ディスプレイパネルＰと、振動素子と、防振部２１ａとを備える。振動素子は、ディスプレイパネルＰを振動させる。防振部２１ａは、振動素子の周囲に設けられ、振動素子側のディスプレイパネルＰを振動領域Ｒｖとし、前記振動領域Ｒｖの外側領域Ｒｓの振動を抑制する。【選択図】図３Ａ
2020092306.tif 000002
【特許請求の範囲】
【請求項１】
ディスプレイパネルと、
前記ディスプレイパネルを振動させる振動素子と、
前記振動素子の周囲に設けられ、前記振動素子側のディスプレイパネルを振動領域とし、前記振動領域の外側領域の振動を抑制する防振部と
を備えることを特徴とするスピーカ装置。
【請求項２】
前記防振部は、
前記振動領域の全周囲に沿って設けられる接着部材であること
を特徴とする請求項１に記載のスピーカ装置。
【請求項３】
前記防振部は、
前記ディスプレイパネルの剛性を上げる補強部材であること
を特徴とする請求項１または２に記載のスピーカ装置。
【請求項４】
前記ディスプレイパネルは、
複数の前記振動領域を有し、
前記振動素子は、
前記振動領域毎に設けられ、当該振動領域毎に振動すること
を特徴とする請求項１、２または３に記載のスピーカ装置。
【発明の詳細な説明】
【技術分野】
【０００１】
本発明は、スピーカ装置に関する。
【背景技術】
【０００２】
従来、ディスプレイパネルを振動させてディスプレイパネルを振動させるスピーカ装置がある。かかるスピーカ装置では、ディスプレイパネルを複数の振動領域に分けて、それぞれ個別に振動させることで複数の音源を同時に出力する（例えば、特許文献１参照）。
【先行技術文献】
【特許文献】
【０００３】
【特許文献１】特開２０１８−００７２４７号公報
【発明の概要】
【発明が解決しようとする課題】
【０００４】
しかしながら、従来技術では、音響特性がディスプレイパネルのサイズに依存するため、使用用途に応じて適切な音響特性を満たすことができなかった。
【０００５】
本発明は、上記に鑑みてなされたものであって、使用用途に応じて適切な音響特性を満たすことができるスピーカ装置を提供することを目的とする。
【課題を解決するための手段】
【０００６】
上述した課題を解決し、目的を達成するために、実施形態に係るスピーカ装置は、ディスプレイパネルと、振動素子と、防振部とを備える。前記振動素子は、前記ディスプレイパネルを振動させる。前記防振部は、前記振動素子の周囲に設けられ、前記振動素子側のディスプレイパネルを振動領域とし、前記振動領域の外側領域の振動を抑制する。
【発明の効果】
【０００７】
本発明によれば、使用用途に応じて適切な音響特性を満たすことができる。
【図面の簡単な説明】
【０００８】
【図１】図１は、スピーカ装置の概要を示す図である。
【図２】図２は、スピーカ装置の構成例を示す模式図である。
【図３Ａ】図３Ａは、防振部の具体例を示す図（その１）である。
【図３Ｂ】図３Ｂは、防振部の具体例を示す図（その２）である。
【図３Ｃ】図３Ｃは、防振部の具体例を示す図（その３）である。
【図４】図４は、複数の振動領域を有するディスプレイパネルの具体例を示す図である。
【図５】図５は、スピーカ装置の搭載例を示す図である。
【発明を実施するための形態】
【０００９】
以下、添付図面を参照して、実施形態に係るスピーカ装置について詳細に説明する。なお、本実施形態によりこの発明が限定されるものではない。
【００１０】
まず、図１を用いて実施形態に係るスピーカ装置の概要について説明する。図１は、スピーカ装置の概要を示す図である。なお、図１では、説明を簡単にするために、鉛直方向上向きを正方向とするＺ軸を含む３次元の直交座標系を示している。かかる直交座標系は、以下の説明で用いる他の図面においても示す場合がある。
【００１１】
図１に示すように、実施形態に係るスピーカ装置１は、ディスプレイパネルＰを備える。ディスプレイパネルＰは、例えば、液晶パネル、有機ＥＬ(Electro-Luminescence)である。なお、有機ＥＬを用いる場合には、ディスプレイパネルＰに、ガラスなどの補強部材を含むものとする。また、ディスプレイパネルＰは、タッチパネルディスプレイであってもよい。
【００１２】
図１に示すように、ディスプレイパネルＰの裏面(紙面奥側)には、振動素子５０が取り付けられる。振動素子５０は、電気信号に応じて伸縮するアクチュエータである。振動素子５０が伸縮することで、ディスプレイパネルＰが振動し、ディスプレイパネルＰから音を発生させることができる。
【００１３】
すなわち、実施形態に係るスピーカ装置１は、ディスプレイパネルＰを振動板としたいわゆるパネルスピーカである。
【００１４】
ところで、一般的に、スピーカ装置は、使用用途に応じて求められる音響特性が異なる。しかしながら、例えば、パネルスピーカにおいては、音響特性がディスプレイパネルのサイズ（例えば、インチ数）に依存するため、使用用途に応じた音響特性を満たすのは困難である。
【００１５】
具体的には、１４インチのディスプレイパネルおよび９インチのディスプレイパネルの双方で同一の音響特性を実現するのは難しかった。
【００１６】
そこで、実施形態に係るスピーカ装置１は、１つのディスプレイパネルＰにおいて、振動素子５０によって振動する振動領域Ｒｖと、振動領域Ｒｖの周囲に静止領域Ｒｓとを設けることとした。
【００１７】
振動領域Ｒｖは、振動素子５０の振動によってディスプレイパネルＰが振動する領域であり、静止領域Ｒｓは、振動しない領域である。なお、静止領域Ｒｓは、外側領域の一例である。
【００１８】
つまり、スピーカ装置１は、ディスプレイパネルＰにおいて、振動素子５０の周囲に防振部を設けて静止領域Ｒｓを設けることで、振動領域Ｒｖのサイズを所望する音響特性に応じて調節することができる。
【００１９】
これにより、スピーカ装置１は、１４インチのディスプレイパネルＰで、９インチの音響特性を得ようとする場合、振動領域Ｒｖを９インチに設定することで、９インチのディスプレイパネルＰと同等の音響特性を満たすことが可能である。なお、防振部の具体例については、図３Ａ〜３Ｃを用いて後述する。
【００２０】
次に、図２を用いてスピーカ装置１の構成例について説明する。図２は、スピーカ装置１の構成例を示す模式図である。図２に示すように、スピーカ装置１は、制御部５と、筐体１０と、振動素子５０と、ディスプレイパネルＰとを備える。
【００２１】
制御部５は、スピーカ装置１の全体制御を行うＣＰＵである。制御部５は、例えば、映像信号ＳｖをディスプレイパネルＰへ入力するとともに、駆動信号Ｖｏを振動素子５０へ入力する。
【００２２】
これにより、ディスプレイパネルＰに映像信号Ｓｖに応じた映像が表示されるとともに、駆動信号Ｖｏによって振動素子５０が振動することで、ディスプレイパネルＰから音声を出力することができる。
【００２３】
なお、制御部５は、例えば、有線通信または無線通信によって外部入力された映像信号に基づき、映像信号Ｓｖや駆動信号Ｖｏを生成することにしてもよいし、あるいは、ＤＶＤ等の映像再生機能を備え、映像再生機能により読みとった信号に基づいて映像信号Ｓｖや駆動信号Ｖｏを生成することにしてもよい。
【００２４】
また、筐体１０は、例えば、樹脂フレームであり、制御部５等を収容する。例えば、筐体１０は、ディスプレイパネルＰが固定される被固定部材としても機能する。
【００２５】
次に、図３Ａ〜図３Ｃを用いて、防振部の具体例について説明する。図３Ａ〜図３Ｃは、防振部の具体例を示す図である。なお、以下では、図３Ａを用いて、防振部が接着部材である場合について説明し、図３Ｂおよび図３Ｃでは、防振部が補強部材である場合について説明する。
【００２６】
図３Ａでは、ディスプレイパネルＰを裏面側（筐体１０側）から見た図を示す。図３Ａに示す例において、防振部２１ａは、例えば、両面テープや接着剤などの接着部材である。なお、防振部２１ａとして、例えば、エポキシ樹脂などの比較的硬度の高い接着剤を用いることが好ましい。
【００２７】
また、図３Ａに示すように、防振部２１ａは、振動領域Ｒｖの外周に沿って設けられる。ディスプレイパネルＰは、防振部２１ａによって筐体１０（図２参照）へ固定される。これにより、防振部２１ａによって振動領域Ｒｖから静止領域Ｒｓ側へ伝搬する振動を防振することができる。
【００２８】
すなわち、振動領域Ｒｖのサイズを規定することができる。したがって、スピーカ装置１の使用用途に応じて、適切な音響特性を満たすことが可能となる。
【００２９】
次に、図３Ｂおよび図３Ｃを用いて、防振部が補強部材である場合について説明する。図３Ｂは、図１に示すＡ−Ａ線に沿ったディスプレイパネルＰの断面模式図に対応する。
【００３０】
図３Ｂに示すように、防振部２１ｂは、ディスプレイパネルＰにおいて、静止領域Ｒｓの剛性を補強するものである。図３Ｂに示す例では、防振部２１ｂが、ディスプレイパネルＰと一体成型される場合を示す。
【００３１】
防振部２１ｂによって、静止領域Ｒｓの剛性を向上させることで、静止領域Ｒｓを振動領域Ｒｖよりも振動させにくくすることができる。したがって、振動領域Ｒｖのみを振動させることが可能となる。
【００３２】
これにより、使用用途に応じて適切な音響特性を満たすことが可能となる。なお、防振部２１ｂをディスプレイパネルＰと別にすることにしてもよい。
【００３３】
また、図３Ｃに示すように、筐体１０側に防振部２１ｃを設けることにしてもよい。なお、図３Ｃは、図１に示すＡ−Ａ線に沿ったディスプレイパネルＰおよび筐体１０断面模式図に対応する。
【００３４】
図３Ｃに示す例では、防振部２１ｃが、筐体１０と一体である場合を示す。ディスプレイパネルＰの静止領域Ｒｓを防振部２１ｃに固定することで、静止領域Ｒｓの剛性を向上させることができる。
【００３５】
すなわち、振動領域Ｒｖのみを振動させることができる。したがって、使用用途に応じて適切な音響特性を満たすことが可能となる。
【００３６】
ところで、実施形態に係るスピーカ装置１では、複数の振動領域Ｒｖを設けることも可能である。図４は、複数の振動領域Ｒｖを有するディスプレイパネルの具体例を示す図である。
【００３７】
図４に示すように、ディスプレイパネルＰは、複数の振動領域Ｒｖ１および振動領域Ｒｖ２を有する。また、振動領域Ｒｖ１には、振動素子５０ａが、振動領域Ｒｖ２には、振動素子５０ｂがそれぞれ設けられる。
【００３８】
すなわち、振動素子５０ａ、５０ｂをそれぞれ個別に制御することで、振動領域Ｒｖ１および振動領域Ｒｖ２から別々の音声を出力することが可能である。
【００３９】
また、図４に示すように、振動領域Ｒｖ１および振動領域Ｒｖ２は、それぞれ異なるサイズに設定される。言い換えれば、１つのディスプレイパネルＰに、音響特性が異なる複数の音源を備えることが可能となる。
【００４０】
これにより、音響特性に対する複数のニーズを満たすことができる。なお、図４に示す例では、振動領域Ｒｖが２つである場合を示したが、振動領域Ｒｖを３つ以上とすることにしてもよい。
【００４１】
次に、図５を用いて、スピーカ装置１の搭載例について説明する。図５は、スピーカ装置１の搭載例を示す図である。図５に示すように、スピーカ装置１は、車両Ｃに搭載され、例えば、後部座席用のディスプレイである。
【００４２】
スピーカ装置１は、例えば、車両Ｃに設けられた他のスピーカ装置と協調動作を行うことも可能である。具体的には、ディスプレイパネルＰに写る人物の発話音声のみをスピーカ装置１から出力し、その他の音声を他のスピーカ装置から出力したりすることができる。
【００４３】
これは、スピーカ装置１が、他のスピーカ装置よりも後部座席のユーザに近い位置に設けられるためである。すなわち、ディスプレイパネルＰに表示される映像に対して音声が遅れることなく、ユーザへ通知することができる。
【００４４】
なお、図５に示すスピーカ装置１の搭載例は、一例であって、パソコンの画面など、その他の表示装置についても同様に適用可能である。
【００４５】
上述したように、実施形態に係るスピーカ装置１は、ディスプレイパネルＰと、振動素子５０と、防振部２１とを備える。振動素子５０は、ディスプレイパネルを振動させる。防振部２１は、振動素子５０の周囲に設けられ、振動素子５０側のディスプレイパネルＰを振動領域Ｒｖとし、振動領域Ｒｖの外側領域の振動を抑制する。したがって、実施形態に係るスピーカ装置１によれば、使用用途に応じて適切な音響特性を満たすことができる。
【００４６】
ところで、上述の実施形態では、振動板としてディスプレイパネルＰを用いる場合について説明したが、これに限定されるものではない。すなわち、ディスプレイパネルＰ以外の振動板を有するスピーカ装置に本発明を適用することにしてもよい。
【００４７】
さらなる効果や変形例は、当業者によって容易に導き出すことができる。このため、本発明のより広範な様態は、以上のように表しかつ記述した特定の詳細および代表的な実施形態に限定されるものではない。したがって、添付の特許請求の範囲および、その均等物によって定義される統括的な発明の概念の精神または範囲から逸脱することなく、様々な変化が可能である。
【符号の説明】
【００４８】
１    スピーカ装置
５    制御部
１０    筐体
２１ａ〜ｃ    防振部
５０    振動素子
Ｐ    ディスプレイパネル
Ｒｖ    振動領域
Ｒｓ    静止領域
【図１】
2020092306.tif 000003
【図２】
2020092306.tif 000004
【図３Ａ】
2020092306.tif 000005
【図３Ｂ】
2020092306.tif 000006
【図３Ｃ】
2020092306.tif 000007
【図４】
2020092306.tif 000008
【図５】
2020092306.tif 000009